(57)【要約】【課題】着信転送をユーザによる手操作を要することなくユーザが移動先の端末に移動するだけで自動的に行えるようにし、これによりユーザの利便性を高めることができるネットワーク電話システムを提供する。【解決手段】ＳＩＰ端末Ｔ１１の番号情報と同一の番号情報を外部メモリ３１に記憶しておき、ＳＩＰ端末Ｔ１１のユーザが会議室のＳＩＰ端末Ｔ２１へ移動した際に外部メモリ３１をＳＩＰ端末Ｔ２１へかざすだけで、ＳＩＰ端末Ｔ２１に外部メモリ３１中のＳＩＰ端末Ｔ１１の番号情報を取得させ、このＳＩＰ端末Ｔ２１にてＳＩＰサーバ装置２に対し転送登録要求を送出して、ＳＩＰ端末Ｔ１１に対応付けてＳＩＰ端末Ｔ２１を指定した着信転送登録を行なえるようにしている。【選択図】      図１
2006270738.tif 000002
【特許請求の範囲】
【請求項１】
通信ネットワークに接続された複数の電話端末と、これら複数の電話端末をそれぞれ前記通信ネットワーク上で識別するための識別情報を記録媒体に記憶し、この記録媒体上の複数の識別情報に基づいて該当する複数の電話端末間を接続して通信を行わせるサーバ装置とを備えたネットワーク電話システムであって、
前記複数の電話端末のうちの一つである第１の電話端末のユーザが該第１の電話端末の識別情報と同一の識別情報を記憶した可搬型記憶媒体を所持し、前記第１の電話端末から当該第１の電話端末とは異なる第２の電話端末へ移動したとき、この第２の電話端末にて前記可搬型記憶媒体から前記第１の電話端末の識別情報を取得する取得手段と、
この取得手段により得られる識別情報に対応付けて前記第２の電話端末の識別情報を着信転送先情報として前記記録媒体に記録する記録手段と、
前記第１の電話端末宛の着信呼が到来した場合に、前記記録媒体上の着信転送先情報に基づいて、転送先に対応する第２の電話端末に対し着信制御を行う制御手段とを具備したことを特徴とするネットワーク電話システム。
【請求項２】
前記取得手段は、前記可搬型記憶媒体を所持したユーザが所定範囲内にいるとき、前記可搬型記憶媒体中の識別情報を取得する旨をユーザに報知し、この報知に対しユーザが取得指示を入力した場合に前記可搬型記憶媒体から識別情報を取得することを特徴とする請求項１記載のネットワーク電話システム。
【請求項３】
前記可搬型記憶媒体を所持したユーザが前記第２の電話端末から移動した後に、前記記録媒体に記録されている着信転送先情報を更新する更新手段をさらに備えたことを特徴とする請求項１記載のネットワーク電話システム。
【請求項４】
前記制御手段は、予め設定される所定の条件に従って着信転送先に対応する第２の電話端末に対し転送制限を行うことを特徴とする請求項１記載のネットワーク電話システム。
【請求項５】
前記可搬型記憶媒体に前記第１の電話端末の識別情報と共に、転送規制を行うための規制レベル情報が記憶されているとき、
前記制御手段は、前記所定の条件の判断に、前記規制レベル情報を用いることを特徴とする請求項４記載のネットワーク電話システム。
【請求項６】
通信ネットワークに接続された複数の電話端末と、これら複数の電話端末をそれぞれ前記通信ネットワーク上で識別するための識別情報を記録媒体に記憶し、この記録媒体上の複数の識別情報に基づいて該当する複数の電話端末間を接続して通信を行わせるサーバ装置とを備えたネットワーク電話システムで使用される着信転送方法であって、
前記複数の電話端末のうちの一つである第１の電話端末のユーザが該第１の電話端末の識別情報と同一の識別情報を記憶した可搬型記憶媒体を所持し、前記第１の電話端末から当該第１の電話端末とは異なる第２の電話端末へ移動したとき、この第２の電話端末にて前記可搬型記憶媒体から前記第１の電話端末の識別情報を取得し、
得られる識別情報に対応付けて前記第２の電話端末の識別情報を着信転送先情報として前記記録媒体に記録し、
前記第１の電話端末宛の着信呼が到来した場合に、前記記録媒体上の着信転送先情報に基づいて、着信転送先に対応する第２の電話端末に対し着信制御を行うことを特徴とするネットワーク電話システムで使用される着信転送方法。
【発明の詳細な説明】
【技術分野】
【０００１】
この発明は、例えばＶＯＩＰ(Voice Over Internet Protocol）電話システム等のように、ＩＰ網を介して電話端末間で音声通信を行い、しかも１つの電話端末に着信する呼を別の電話端末に対して転送可能なネットワーク電話システム及びこのネットワーク電話システムで使用される着信転送方法に関する。
【背景技術】
【０００２】
近年、パケット網を介して、双方向に画像や音声をパケットデータとして、リアルタイムに送受信するネットワーク電話システム（ＶＯＩＰ電話システム）が普及し始めている。このＶＯＩＰ電話システムでは、そのプロトコルとしてＳＩＰ（Session Initiation Protocol）が広く使われている。
【０００３】
この種のシステムでは、パケット網に接続される端末（以下、ＳＩＰ端末と称する）のアドレスをパケット網上のサーバ（以下、ＳＩＰサーバと称する）に予め登録しておき、ＳＩＰ端末間で通話を行う際に、上記登録されたアドレスを基にＳＩＰサーバがＳＩＰ端末の認証を行うようにしている。
【０００４】
また、上記システムでは、各種のサービス機能を備えており、その一つに着信転送機能がある。着信転送機能とは、例えばＳＩＰ端末Ａのユーザが自身のＳＩＰ端末Ａに着信する呼を他のＳＩＰ端末Ｂに対して転送するための転送登録を行うことにより、ユーザのＳＩＰ端末Ａに到来する着信呼をＳＩＰ端末Ｂに転送できる機能である。
【０００５】
ところで、上記着信転送機能では、ＳＩＰ端末Ａに到来する着信呼の転送先がＳＩＰ端末Ｂに予め登録されているため、例えばＳＩＰ端末ＡのユーザがＳＩＰ端末Ｂの設置部屋から、ＳＩＰ端末Ｃのある部屋へ移動するようなことがあると、ユーザはＳＩＰ端末Ａの設置場所まで一々足を運んで、ＳＩＰ端末Ｃを着信転送先に指定する設定登録を行わなければならず、大変不便である。
【０００６】
なお、ＰＢＸ（Private Branch Exchange）を中心とした構内交換システムにおいては、内線電話機の電話番号と同一の電話番号をＩＣカードに記憶しておくとともに、各内線電話機にＩＣカードリーダを設け、移動先の内線電話機にＩＣカードをかざすだけで転送登録を行えるようにした技術が提案されている（例えば、特許文献１）。
【特許文献１】特開平５−３４４２２４号公報。
【発明の開示】
【発明が解決しようとする課題】
【０００７】
しかしながら、上記ＶＯＩＰ電話システムにおいては、上記構内交換システムで提案されているＩＣカードを利用した着信転送サービスについて、まだ検討段階であって実現されていないのが現状である。
【０００８】
また、ＶＯＩＰ電話システムでは、例えば複数の企業や個人が共用する場合があり、このため、同一条件で転送登録を許可することができない。
【０００９】
そこで、この発明の目的は、着信転送をユーザによる手操作を要することなくユーザが移動先の端末に移動するだけで自動的に行えるようにし、これによりユーザの利便性を高めることができるネットワーク電話システム及びこのネットワーク電話システムで使用される着信転送方法を提供することにある。
【課題を解決するための手段】
【００１０】
この発明は、上記目的を達成するために、以下のように構成される。  
通信ネットワークに接続された複数の電話端末と、これら複数の電話端末をそれぞれ通信ネットワーク上で識別するための識別情報を記録媒体に記憶し、この記録媒体上の複数の識別情報に基づいて該当する複数の電話端末間を接続して通信を行わせるサーバ装置とを備えたネットワーク電話システムであって、複数の電話端末のうちの一つである第１の電話端末のユーザが該第１の電話端末の識別情報と同一の識別情報を記憶した可搬型記憶媒体を所持し、第１の電話端末から当該第１の電話端末とは異なる第２の電話端末へ移動したとき、この第２の電話端末にて可搬型記憶媒体から第１の電話端末の識別情報を取得する取得手段と、この取得手段により得られる識別情報に対応付けて第２の電話端末の識別情報を着信転送先情報として記録媒体に記録する記録手段と、第１の電話端末宛の着信呼が到来した場合に、記録媒体上の着信転送先情報に基づいて、着信転送先に対応する第２の電話端末に対し着信制御を行う制御手段とを備えるようにしたものである。
【００１１】
この構成によれば、第１の電話端末の識別情報と同一の情報が可搬型記憶媒体に記憶されており、第１の電話端末のユーザが第２の電話端末へ移動して可搬型記憶媒体を第２の電話端末へかざすだけでこの可搬型記憶媒体から第１の電話端末の識別情報が取得され、この識別情報に対応付けて第２の電話端末の識別情報が着信転送先情報として記録媒体に記録され、この着信転送先情報に基づいて着信転送処理が行われることになる。すなわち、第１の電話端末から第２の電話端末への着信転送登録が可搬型記憶媒体を介して行われることになる。
【００１２】
従って、着信転送をユーザによる手操作を要することなくユーザが移動するだけで自動的に行えるようになり、これによりユーザの利便性は大幅に改善される。
【００１３】
取得手段は、可搬型記憶媒体を所持したユーザが所定範囲内にいるとき、可搬型記憶媒体中の識別情報を取得する旨をユーザに報知し、この報知に対しユーザが取得指示を入力した場合に可搬型記憶媒体から識別情報を取得することを特徴とする。  
この構成によれば、第１の電話端末のユーザが可搬型記憶媒体を所持して第２の電話端末へ移動するごとにユーザが自身で第２の電話端末への着信転送登録が必要か否かを判断して指示することができ、これにより真に必要な着信転送登録を行うことができる。
【００１４】
可搬型記憶媒体を所持したユーザが第２の電話端末から移動した後に、記録媒体に記録されている着信転送先情報を更新する更新手段をさらに備えたことを特徴とする。  
この構成によれば、第１の電話端末のユーザが第２の電話端末から第１の電話端末もしくは他の電話端末へ移動した場合、記録媒体の着信転送先情報を、ユーザが手操作で更新処理をすることなく、自動的に最新の情報に更新することができる。
【００１５】
制御手段は、予め設定される所定の条件に従って着信転送先に対応する第２の電話端末に対し転送制限を行うことを特徴とする。なお、所定の条件の判断に、転送規制を行うための規制レベル情報を用いる。
【００１６】
この構成によれば、例えば会議室等のように特別な部屋の電話端末については転送規制を行うことができる。また、可搬型記憶媒体に第１の電話端末の識別情報と転送規制レベル情報とを記憶しておくことで、例えば複数の企業や個人が１つのシステムを共用する場合に、可搬型記憶媒体に記憶された転送規制レベル情報を利用して各企業または個人ごとに使用する電話端末を限定することができる。
【発明の効果】
【００１７】
以上詳述したようにこの発明によれば、着信転送をユーザによる手操作を要することなくユーザが移動先の端末に移動するだけで自動的に行えるようにし、これによりユーザの利便性を高めることができるネットワーク電話システム及びこのネットワーク電話システムで使用される着信転送方法を提供することができる。
【発明を実施するための最良の形態】
【００１８】
以下、この発明の実施形態について図面を参照して詳細に説明する。  
図１は、この発明に係わるＶＯＩＰ電話システムの一実施形態を示す概略構成図である。  
このシステムは、ＬＡＮ（Local Area Network）１を有する。このＬＡＮ１には、電話端末としての複数のＳＩＰ端末Ｔ１１〜Ｔ１ｉ（ｉは自然数），Ｔ２１が接続されている。また、ＬＡＮ１には、ＳＩＰサーバ装置２が接続されている。さらに、ＬＡＮ１には、ルータ（図示せず）を介して公衆網（図示せず）が接続されている。
【００１９】
ＳＩＰサーバ装置２は、ＬＡＮ１上に接続された複数のＳＩＰ端末Ｔ１１〜Ｔ１ｉ，Ｔ２１相互間の接続や、複数のＳＩＰ端末Ｔ１１〜Ｔ１ｉ，Ｔ２１と公衆網との間を接続するもので、ＳＩＰ端末Ｔ１１〜Ｔ１ｉ，Ｔ２１に対するＩＰアドレスまたは電話番号の割り当て機能と、各ＳＩＰ端末Ｔ１１〜Ｔ１ｉ，Ｔ２１に割り当てたアドレスまたは電話番号の管理機能を有している。
【００２０】
また、上記複数のＳＩＰ端末Ｔ１１〜Ｔ１ｉ，Ｔ２１にはそれぞれ外部メモリリーダ（後述する）が設けてあり、ユーザが所持する外部メモリ３１〜３ｉから無線通信によりＳＩＰ端末Ｔ１１〜Ｔ１ｉ，Ｔ２１の番号情報を読み出し可能になっている。外部メモリ３１〜３ｉは、ＩＣカードまたは無線タグである。例えば、ＳＩＰ端末Ｔ１１のユーザが所持する外部メモリ３１には、ＳＩＰ端末Ｔ１１の番号情報と同一の情報が記憶されており、ＳＩＰ端末Ｔ１２のユーザが所持する外部メモリ３２には、ＳＩＰ端末Ｔ１２の番号情報と同一の情報が記憶されており、ＳＩＰ端末Ｔ１ｉのユーザが所持する外部メモリ３ｉには、ＳＩＰ端末Ｔ１ｉの番号情報と同一の情報が記憶されている。
【００２１】
ところで、上記ＳＩＰサーバ装置２は次のように構成される。図２はその構成を示すブロック図である。
【００２２】
ＳＩＰサーバ装置２は、ＬＡＮインタフェース（Ｉ／Ｆ）部２１と、接続制御部２２と、データ管理部２３とを備えている。このうち、ＬＡＮインタフェース部２１は、ＬＡＮ１との間でインタフェース処理を行うものである。
【００２３】
接続制御部２２は、ＬＡＮ１との間で接続制御を行うもので、例えばＬＡＮ１上のＳＩＰ端末Ｔ１１からの発信に応じて着信先となるＳＩＰ端末Ｔ１２との間を接続する。
【００２４】
データ管理部２３は、上記接続制御部２２の接続制御に必要なルーティング情報等を格納している。このデータ管理部２３には、接続対象となるＳＩＰ端末Ｔ１１〜Ｔ１ｉ，Ｔ２１のＩＰアドレスまたは電話番号が登録されている。
【００２５】
ところで、この実施形態において、上記接続制御部２２は、ＳＩＰ端末Ｔ２１が送信するＳＩＰ端末Ｔ１１の番号情報を含む転送登録要求を受信すると共に、図３に示すように、転送登録要求に従いこのＳＩＰ端末Ｔ１１の番号情報に対応付けて送信元となるＳＩＰ端末Ｔ２１の番号情報を着信転送先データとしてデータ管理部２３に記録し管理する。そして、ＳＩＰ端末Ｔ１１宛ての着信信号が到来した場合に、ＳＩＰ端末Ｔ１１に対し着信データを送信して着信報知を行わせると共に、データ管理部２３で管理されている着信転送先データに基づいてＳＩＰ端末Ｔ２１に対し着信データを送信して着信報知を行わせる。
【００２６】
一方、ＳＩＰ端末Ｔ１１〜Ｔ１ｉ，Ｔ２１は次のように構成される。図４はその構成を示すブロック図である。ここでは、ＳＩＰ端末Ｔ１１を代表して説明する。
【００２７】
ＳＩＰ端末Ｔ１１は、ＬＡＮインタフェース（Ｉ／Ｆ）部４１と、音声パケット処理部４２と、音声入出力インタフェース（Ｉ／Ｆ）部４３と、制御部４４と、操作パネル４５と、外部メモリリーダ４６とを備えている。
【００２８】
ＬＡＮインタフェース部４１は、ＬＡＮ１に関するインタフェース動作を行なう。つまり、ＬＡＮインタフェース部４１は、ＬＡＮ１から送られてきた伝送パケットから音声パケットや制御データを抽出し、音声パケットを音声パケット処理部４２へ、また制御データを制御部４４へと与える。またＬＡＮインタフェース部４１は、音声パケット処理部４２から与えられる音声パケットや制御部４４から与えられるデータをＬＡＮ１に送信する。
【００２９】
音声パケット処理部４２は、ＬＡＮインタフェース部４１から与えられる音声パケットをアナログの受話音声信号に変換して音声入出力インタフェース部４３に与える。また、音声パケット処理部４２は、音声入出力インタフェース部４３から入力された送話音声信号をＬＡＮ１で取り扱い可能な音声パケットに変換してＬＡＮインタフェース部４１に与える。
【００３０】
音声入出力インタフェース部４３には、マイクロホン４７及びスピーカ４８が接続されている。音声入出力インタフェース部４３は、マイクロホン４７により入力された送話音声信号を音声パケット処理部４２に入力すると共に、音声パケット処理部４２から出力された受話音声信号をスピーカ４８から拡声出力する。
【００３１】
制御部４４は、ソフトウェア処理によりＳＩＰ端末Ｔ１１の各部の制御やＬＡＮ１との間での通信処理を行なう。
【００３２】
操作パネル４５は、キースイッチやＬＣＤ等を有し、ユーザによる制御部４４に対する各種の指示入力を受け付け、ユーザに対し各種の情報報知を行なうものである。
【００３３】
外部メモリリーダ４６は、例えば外部メモリ３２を所持したユーザがＳＩＰ端末Ｔ１１の所定距離内に近づいて外部メモリ３２をかざした場合に、外部メモリ３２に対し番号情報の取得要求を電波で送り、この取得要求に対し外部メモリ３２から送られた番号情報を受信し、制御部４４に送る。すると、制御部４１は外部メモリリーダ４６から送られた番号情報を含む転送登録要求をＬＡＮ１を介してＳＩＰサーバ装置２へ送信する。このとき、全機能動作用のポート番号以外のポート番号（例えばポート番号５０６０が全機能動作用のポート番号とすると、ポート番号５０６１、ポート番号５０６２、ポート番号５０６３等）を用いて登録処理を行う。
【００３４】
次に、以上のように構成されたシステムの動作について説明する。  
例えばＳＩＰ端末Ｔ１１のユーザが外部メモリ３１を所持して会議室に設置されたＳＩＰ端末Ｔ２１へ移動したとする。そうすると、ＳＩＰ電話端末Ｔ２１は、図５に示す制御処理を実行する。
【００３５】
ＳＩＰ端末Ｔ２１は、外部メモリ３１を検出し（ステップＳＴ５ａ）、着信転送登録を行う旨をユーザに報知する（ステップＳＴ５ｂ）。この報知方法としては、外部メモリ３１がバイブレータ機能付きであればバイブレータにより知らせる方法や、ＳＩＰ端末Ｔ２１のＬＣＤに着信転送登録を行う旨のメッセージを表示させる方法等がある。
【００３６】
この状態でユーザが、着信転送登録を行うべくＳＩＰ端末Ｔ２１の操作パネル４５において取得指示を入力したとする。そうするとＳＩＰ端末Ｔ２１は、ステップＳＴ５ｃからステップＳＴ５ｄに移行して外部メモリ３１に対し番号情報の取得要求を電波で送る。そして、この取得要求に対し外部メモリ３１から番号情報が送られてくると、ＳＩＰ端末Ｔ２１は番号情報を含む転送登録要求をＬＡＮ１を介してＳＩＰサーバ装置２へ向け送信する（ステップＳＴ５ｅ）。
【００３７】
なお、上記ステップＳＴ５ｃにおいて、ユーザが取得指示を入力しなかった場合には、ＳＩＰ端末Ｔ２１は処理を終了する。
【００３８】
これに対しＳＩＰサーバ装置２は、図６に示す制御処理を実行する。  
ＳＩＰサーバ装置２は、ＳＩＰ端末Ｔ２１から転送登録要求を受信すると（ステップＳＴ６ａ）、この転送登録要求に従ってＳＩＰ端末Ｔ１１の番号情報に対応付けてＳＩＰ端末Ｔ２１の番号情報を着信転送先データとしてデータ管理部２３に記録する（ステップＳＴ６ｂ）。
【００３９】
このとき、ＳＩＰサーバ装置２はＳＩＰ端末Ｔ１１の番号情報に対応するＳＩＰ端末Ｔ２１以外の他のＳＩＰ端末Ｔ１２〜Ｔ１ｉの番号情報が着信転送先データとして登録されているか否かの判断を行う（ステップＳＴ６ｃ）。
【００４０】
ここで、ＳＩＰ端末Ｔ１３の番号情報が着信転送先データとして登録されている場合に（Ｙｅｓ）、ＳＩＰサーバ装置２はＳＩＰ端末Ｔ１３の番号情報の消去を行い（ステップＳＴ６ｄ）、他のＳＩＰ端末Ｔ１２〜Ｔ１ｉの番号情報がなければ（Ｎｏ）、そのまま処理を終了する。
【００４１】
例えば、公衆網から着信電話番号を含む着信呼がＳＩＰサーバ装置２に到来したとする。この場合、ＳＩＰサーバ装置２は、着信呼から着信電話番号を抽出し、この着信電話番号に対応する着信先、例えばＳＩＰ端末Ｔ１１を判定する。
【００４２】
しかしながら、このとき着信先のＳＩＰ端末Ｔ１１のユーザが会議室のＳＩＰ端末Ｔ２１に対する着信転送登録がなされていたとする。そうすると、ＳＩＰサーバ装置２は着信転送先データが登録されているか否かを判定し、登録されている場合に、着信先のＳＩＰ端末Ｔ１１に対し着信データを送信して着信報知を行わせると共に、着信転送先のＳＩＰ端末Ｔ２１に対し着信データを送信して着信報知を行わせる。
【００４３】
かくして、ＳＩＰ端末Ｔ１１のユーザは、ＳＩＰ端末Ｔ２１にて着信応答することができる。
【００４４】
以上のように上記実施形態では、ＳＩＰ端末Ｔ１１の番号情報と同一の番号情報を外部メモリ３１に記憶しておき、ＳＩＰ端末Ｔ１１のユーザが会議室のＳＩＰ端末Ｔ２１へ移動した際に外部メモリ３１をＳＩＰ端末Ｔ２１へかざすだけで、ＳＩＰ端末Ｔ２１に外部メモリ３１中のＳＩＰ端末Ｔ１１の番号情報を取得させ、このＳＩＰ端末Ｔ２１にてＳＩＰサーバ装置２に対し転送登録要求を送出して、ＳＩＰ端末Ｔ１１に対応付けてＳＩＰ端末Ｔ２１を指定した着信転送登録を行なえるようにしている。
【００４５】
従って、着信転送をユーザによる手操作を要することなくユーザが外部メモリ３１を所持してＳＩＰ端末Ｔ２１へ移動するだけで自動的に行えるようにし、これによりユーザの利便性は大幅に改善される。
【００４６】
また、ＳＩＰ端末Ｔ１１のユーザが外部メモリ３１を所持してＳＩＰ端末Ｔ２１に近づいた場合に、外部メモリ３１からＳＩＰ端末Ｔ１１の番号情報を取得する旨をユーザに報知し、ユーザの指示を待ってＳＩＰ端末Ｔ２１からＳＩＰサーバ装置２に対し転送登録要求を送出するようにしている。このため、ユーザは、ＳＩＰ端末Ｔ２１へ移動しても、現時点で着信転送登録する必要がない場合にはＳＩＰ端末Ｔ２１に対する着信転送登録をせずに済む。
【００４７】
さらに、着信転送登録の際に、ＳＩＰサーバ装置２にてＳＩＰ端末Ｔ１１に対応する着信転送先としてＳＩＰ端末Ｔ２１のほかに、ＳＩＰ端末Ｔ１３が登録されている場合には、ＳＩＰ端末Ｔ１３の番号情報が着信転送先データから外される。このため、ユーザは、着信転送先を解除する操作が不要になり、これにより操作上の負担を大幅に軽減できる。
【００４８】
なお、この発明は上記実施形態に限定されるものではない。上記実施形態では、ＳＩＰ端末Ｔ１１のユーザがＳＩＰ端末Ｔ２１へ移動した場合に、着信転送登録する旨を一旦ユーザに報知し、ユーザが取得指示を入力した場合にＳＩＰ端末Ｔ２１からＳＩＰサーバ装置２へ転送登録要求を送出してＳＩＰ端末Ｔ２１に対する着信転送登録を行うようにした。
【００４９】
しかし、これに限定されるものではなく、ＳＩＰ端末Ｔ１１のユーザがＳＩＰ端末Ｔ２１に対し外部メモリ３１をかざした時点で、ＳＩＰ端末Ｔ２１からＳＩＰサーバ装置２へ自動的に転送登録要求を送出してＳＩＰ端末Ｔ２１に対する着信転送登録を行うようにしてもよい。
【００５０】
また、上記実施形態では、ＳＩＰサーバ装置２において、例えばＳＩＰ端末Ｔ１４にＳＩＰ端末Ｔ１１のユーザが外部メモリ３１を所持して近づいても、ＳＩＰ端末Ｔ１４に対する着信転送登録を行えないようにすることもできる。また、外部メモリ３１にＳＩＰ端末Ｔ１１の番号情報の他に、転送規制を行うための規制レベル情報を記憶しておくこともできる。このようにすれば、例えば複数の企業や個人がＬＡＮ１及びＳＩＰサーバ装置２を共用する場合に、規制レベル情報を利用して各企業または個人ごとに使用するＳＩＰ端末Ｔ１１〜Ｔ１ｉ，Ｔ２１を限定することもできる。この場合、規制レベル情報以外に、日時情報等を使用してもよい。
【００５１】
その他、システムの構成、ＳＩＰサーバ装置の構成、ＳＩＰ端末の構成、外部メモリの種類、着信転送登録の制御手順とその内容等についても、この発明の要旨を逸脱しない範囲で種々変形して実施できる。
【図面の簡単な説明】
【００５２】
【図１】この発明の一実施形態に係わるＶＯＩＰ電話システムの概略構成図。
【図２】同実施形態におけるＳＩＰサーバ装置の構成を示すブロック図。
【図３】上記図２に示したデータ管理部に記録される着信転送先データの一例を示す図。
【図４】同実施形態におけるＳＩＰ端末の構成を示すブロック図。
【図５】同実施形態におけるＳＩＰ端末の制御手順とその内容を示すフローチャート。
【図６】同実施形態におけるＳＩＰサーバ装置の制御手順とその内容を示すフローチャート。
【符号の説明】
【００５３】
１…ＬＡＮ（Local Area Network）、２…ＳＩＰサーバ装置、２１，４１…ＬＡＮインタフェース（Ｉ／Ｆ）部、２２…接続制御部、２３…データ管理部、３１〜３ｉ…外部メモリ、４２…音声パケット処理部、４３…音声入出力インタフェース（Ｉ／Ｆ）部、４４…制御部、４５…操作パネル、４６…外部メモリリーダ、４７…マイクロホン、４８…スピーカ、Ｔ１１〜Ｔ１ｉ，Ｔ２１…ＳＩＰ端末。
【図１】
2006270738.tif 000003
【図２】
2006270738.tif 000004
【図３】
2006270738.tif 000005
【図４】
2006270738.tif 000006
【図５】
2006270738.tif 000007
【図６】
2006270738.tif 000008